(57)【要約】      （修正有）【課題】タッチパネルディスプレイを備えた携帯型情報端末を収納した状態でディスプレイに表示された情報を外部から目視することができ、さらに携帯型情報端末を収納した状態で使用することができるバッグを提供する。【解決手段】袋状本体２の外側面に沿って垂下されてなる収納袋部９を備えたバッグであり、収納袋部が、柔らかい透明素材からなる前板部１１が後板部１０の前面と重ね合されてなる袋体に形成され、前板部は、後板部よりも上下長さが短く、前板部の下端縁１２及び左右端縁１３、１４が後板部と閉塞され、かつ、前板部の上端が、本体の開口縁６よりも下方位置において上方に向かって解放する収納口１５に形成されてなる。【選択図】図１
0003199232.tif 000002
【実用新案登録請求の範囲】
【請求項１】
底部が閉塞し、上端において開口が設けられてなる袋状本体と、
前記開口の開口縁に取り付けられた前後一対の提げ手部と、
前記開口縁において固着されて前記袋状本体の外側面に沿って垂下されてなる収納袋部とを備え、
前記収納袋部は、
シート状の柔らかい透明樹脂素材からなる前板部が後板部の前面と重ね合されてなる袋体に形成され、
前記前板部は、該後板部よりも上下長さが短く形成されて後板部と重ね合わされると共に、前記前板部の下端縁及び左右端縁が前記後板部と閉塞され、かつ、前記前板部の上端が、前記開口縁よりも下方位置において上方に向かって解放する収納口に形成されてなり、
前記収納口よりも上方部分の前記後板部は、前記開口縁との固着部から前記収納口まで滑らかな面を備える誘導片に形成されてなる
ことを特徴とするバッグ。
【請求項２】
前記前板部に、小孔が形成されてなる
ことを特徴とする請求項１に記載のバッグ。
【考案の詳細な説明】
【技術分野】
【０００１】
本考案は、バッグに関する。
【背景技術】
【０００２】
従来より、バッグは、移動中には使用しないけれども、いずれ目的地に到着した際に使用する予定の物を収納して持ち歩くための収納用具として使用されていた。そして従来のバッグに収納された物は、使用する際にはバッグから取り出して使用されていた。
【０００３】
バッグには、収納された小物を分類整理した状態で収納するために、最も大きな容量を有するメインポケットとは別に小さく仕切られたポケットを備えた分類整理機能付きバッグも提供されていた。前記分類整理機能付きバッグは、バッグ内から取り出そうとする小物を探し出し易くすることを目的とするものであり、収納された状態の小物を外部から目視する、又は収納された状態で使用するための構造を有するものとは言えなかった。
【先行技術文献】
【特許文献】
【０００４】
【特許文献１】特開２０００−１０６９３３号公報
【考案の概要】
【考案が解決しようとする課題】
【０００５】
近年急速に普及しているタッチパネルディスプレイを備えた携帯型情報端末は、手のひらに収まるほどの大きさでありながら、移動しながら使用することもでき、インターネットから情報を取得する、又は携帯型情報端末内に保存された音楽データ等を再生して視聴することを可能とするものである。
【０００６】
しかし、従来のバッグ、又は分類整理機能付きのバッグでは、前記タッチパネルディスプレイを備えた携帯型情報端末をバッグに収納したまま、情報を取得する、又は使用することは困難であった。
【課題を解決するための手段】
【０００７】
そこで、上記課題を解決するための手段として本考案に係るバッグは、底部が閉塞し、上端において開口が設けられてなる袋状本体と、前記開口の開口縁に取り付けられた前後一対の提げ手部と、前記開口縁において固着されて前記袋状本体の外側面に沿って垂下されてなる収納袋部とを備え、前記収納袋部は、シート状の柔らかい透明樹脂素材からなる前板部が後板部の前面と重ね合されてなる袋体に形成され、前記前板部は、該後板部よりも上下長さが短く形成されて後板部と重ね合わされると共に、前記前板部の下端縁及び左右端縁が前記後板部と閉塞され、かつ、前記前板部の上端が、前記開口縁よりも下方位置において上方に向かって解放する収納口に形成されてなり、前記収納口よりも上方部分の前記後板部は、前記開口縁との固着部から前記収納口まで滑らかな面を備える誘導片に形成されてなることを特徴とする。
【０００８】
また、前記前板部には、小孔が形成されてなることとしても好ましい。携帯型情報端末に接続したイヤホンコードを前記小孔から引き出すことによって、イヤホンコードを携帯型情報端末と前板部との間に挟み込ませずに収納袋部から引き出すことができる。イヤホンコードが携帯型情報端末と前板部との間に挟み込まれると、前板部の上から、十分に指をタッチパネルディスプレイに押し当てることができず、携帯型情報端末の操作に支障が生じることとなるので、前記小孔はこのような支障が生じることを防止することができる。
【０００９】
前板部は、内部に収納した携帯型情報端末のタッチパネルディスプレイを前板部の外側からでも操作することができるシート状の柔らかい透明樹脂素材からなる。特にタッチパネルディスプレイの操作の感度の低下を防ぐため、前板部は薄い厚みに形成されてなることが好ましい。また、前板部及び後板部は、前記シート状の柔らかい透明樹脂素材によって一体に形成されてなるものであっても好ましい。
【考案の効果】
【００１０】
本考案によれば、タッチパネルディスプレイを備えた携帯型情報端末を、収納袋部に収納した状態で、収納袋部の外側から携帯型情報端末のディスプレイに表示される情報を視認することができる。
【００１１】
また、タッチパネルディスプレイを備えた携帯型情報端末を、収納袋部に収納した状態で、収納袋部の上からタッチパネルディスプレイを操作し、ディスプレイに表示される情報をインターネット等から取得することができる。
【００１２】
携帯型情報端末を、誘導片の表面に接触させながら収納口へ滑り込ませることで、収納袋部へ確実に収納することができる。
【００１３】
収納袋部の前板部に小孔が形成されてなることで、携帯型情報端末に接続されたイヤホンコードによっても収納袋部の上からのタッチパネルディスプレイの操作が阻害されることがない。
【図面の簡単な説明】
【００１４】
【図１】バッグ１の正面図である。
【図２】バッグ１の袋状本体２の中央部におけるＡ−Ａ縦断面図である。
【図３】バッグ１を使用する様子を示す図である。
【考案を実施するための形態】
【００１５】
以下、本考案に係る実施の形態を、図を参照しながら詳しく説明する。
【００１６】
図１に示すように、バッグ１は、底部３が閉塞し、上端において開口４が設けられてなる袋状本体２と、前記袋状本体の開口縁６設けられた前後一対の提げ手部５，５と、前記開口４の開口縁６において固着されて前記袋状本体２の外側面８に沿って垂下されてなる収納袋部９とを備える。
【００１７】
前記収納袋部９は、シート状の柔らかい透明樹脂素材からなる後板部１０及び前板部１１とからなり、前板部１１は収納袋部９の下端縁１２において下方から上方に向かって折り返されると共に、前記後板部１０よりも上下長さが短くなるように後板部１０の全面に対して重ね合わされてなる。さらに、前記前板部１１の左右端縁１３、１４が前記後板部１０と閉塞されて袋体に形成され、かつ、前板部１１の上端が、前記開口縁６よりも下方位置において上方に向かって解放する収納口１５に形成されてなる。
【００１８】
前記収納口１５よりも上方部分の前記後板部１０は、前記開口縁６との固着部７から前記収納口１５まで滑らかな面１６を備える誘導片１７に形成されてなる。
【００１９】
また、前板部１１には、下端縁１２よりもわずかに上方の位置に収納袋部９の内部と外部とを貫通する小孔１８が形成されてなる。
【００２０】
使用者１９は、図３に示すように、タッチパネルディスプレイ２１を備えた携帯型情報端末２０を収納袋部９に収納することで、外部からでもタッチパネルディスプレイ２１に表示された情報を視認することができる。また、使用者１９は、携帯型情報端末２０を収納袋部９に収納した状態で前板部１１を外部から指でタッチパネルディスプレイ２１に向かって押し当てることで、タッチパネルディスプレイ２１に表示された情報を操作することができる。
【００２１】
また、使用者１９は、図３に示すように、携帯型情報端末２０に接続したイヤホンコード２２を前記小孔１８から引き出すことによって、イヤホンコード２２を携帯型情報端末２０と前板部１１との間に挟み込ませずに収納袋部９から引き出すことができる。イヤホンコード２２が携帯型情報端末２０と前板部１１との間に挟み込まれると、前板部１１の上から、指を十分にタッチパネルディスプレイ２１に押し当てることができず、携帯型情報端末２０の操作に支障が生じることとなる。小孔１８は、このような支障が生じることを防止することができる。
【００２２】
使用者１９は、小孔１８から引き出したイヤホンコード２２を耳に装着し、タッチパネルディスプレイ２１に表示された情報を、前板部１１の外部から確認しながら指を押し当てて操作することにより、携帯型情報端末２０の内部に保存された音楽情報等を再生して視聴することができる。
【００２３】
使用者１９は、携帯型情報端末２０を収納袋部９に収納しようとする際には、携帯型情報端末２０を誘導片１７の滑らかな面１６に押し当てると、後板部１０と前板部１１との間に隙間を作ることができ、収納口１５を直接指で触れることなく開くことができる。続いて、携帯型情報端末２０を滑らかな面１６に押し当てながら収納口１５に向かって下方へ移動させることで、携帯型情報端末２０を開いた状態の収納口１５から収納袋部９の内部へ収納することができる。滑らかな面１６を誘導片１７、収納口１５及び収納袋部９の内部に渡って連続して形成することにより、前記収納作業を確実に行うことができる。
【符号の説明】
【００２４】
１  バッグ
２  袋状本体
３  底部
４  開口
５  手提げ部
６  開口縁
７  固着部
８  外側面
９  収納袋部
１０  後板部
１１  前板部
１５  収納口
１７  誘導片
１８  小孔
【図１】
0003199232.tif 000003
【図２】
0003199232.tif 000004
【図３】
0003199232.tif 000005